(57)【特許請求の範囲】
【請求項１】
建物のセキュリティ及び／又は居住性を提供する要素（１４）を駆動する能力を有し、かつ１つ又は複数の起動機能によって学習モードに切り替わる能力を有する命令受信機（１０）と、前記命令受信機（１０）と通信する、少なくとも１つの保護命令送信機を含む１つ又は複数の命令送信機(２０)と、を有する装置の学習モードを保護する保護方法であって、
前記保護命令送信機に適用される１又は複数の動作によって、前記命令受信機の学習モードの起動機能の少なくとも１つを無効にし、無効にすることによって、少なくとも前記保護命令送信機における特定の動作が行われるまで、前記命令受信機が前記学習モードに入らないようにするステップを有する、保護方法。
【請求項２】
前記動作は、少なくとも１つの保護命令送信機と少なくとも１つのその他の命令送信機上において、連続的に又は同時に遂行される請求項１に記載の保護方法。
【請求項３】
前記保護命令送信機における１つ又は複数の動作によって、前記受信機の前記学習モードが起動される請求項１又は２に記載の保護方法。
【請求項４】
前記保護命令送信機における１つ又は複数の動作によって、前記保護命令送信機によるものを除いて、前記学習モードを起動する機能を無効にする請求項１〜３のいずれか一項に記載の保護方法。
【請求項５】
前記起動機能の無効化は、不可逆的である請求項１〜４のいずれか一項に記載の保護方法。
【請求項６】
前記起動機能の無効化は、一時的である請求項１〜５のいずれか一項に記載の保護方法。
【請求項７】
保護命令送信機における動作により、前記受信機のメモリ内において、少なくとも特定の送信機の識別番号が消去される請求項１〜６のいずれか一項に記載の保護方法。
【請求項８】
請求項１〜７のいずれか一項に記載の方法を実施するための装置であって、
建物のセキュリティ及び／又は居住性を提供する要素（１４）を駆動する能力を有し、かつ１つ又は複数の起動機能によって学習モードに切り替わる能力を有する命令受信機（１０）と、
前記命令受信機（１０）と通信する、少なくとも１つの保護命令送信機を含む１つ又は複数の命令送信機と、を有する装置。
【請求項９】
前記保護命令送信機は、前記命令受信機（１０）と遠隔通信する無線手段を有している請求項８に記載の装置。
【請求項１０】
前記保護命令送信機は、紙のシートの標準寸法に実質的に等しい２つの寸法をもつ請求項８又は９に記載の装置。
【発明の詳細な説明】
【技術分野】
【０００１】
本発明は、請求項１の前文に記載されている保護方法に関するものである。又、本発明は、本発明による方法を実施する装置にも関するものである。
【背景技術】
【０００２】
命令送信機（Ｃｏｍｍａｎｄ  Ｔｒａｎｓｍｉｔｔｅｒ）という用語は、なんらかの手段により、具体的には、例えば、高周波又は赤外線タイプなどの電磁波信号を使用したり、あるいは電気信号を使用することにより、命令を送信する能力を有する要素を意味するものと理解されたい。
【０００３】
居住性及び／又はセキュリティ要素を駆動可能な装置においては、命令送信機及び命令受信機が遠隔通信する場合に、これらをペアリングする必要がある。このペアリングは、送信機の識別及び学習手順を実行することによって行われ、この結果、送信機と受信機が関連付けられて、受信機と関連付けられているアクチュエータの遠隔制御が実現する。
【０００４】
このような手順については、特許文献１に記載されている。この手順を実現可能な装置は、２つの送信機を有しており、このそれぞれは、識別番号を有すると共に、この識別番号と命令を有する信号を送信する。また、この装置は、マイクロプロセッサとメモリを有する論理ユニットを備える受信機をも有している。このマイクロプロセッサは、２つのモードに従って動作することができる。すなわち、第１モードにおいては、受信した命令を実行可能であり、第２モードにおいては、送信機の識別番号を記録することができる。また、特許文献２には、別の手順が開示されている。
【０００５】
受信機上に配置されたプッシュボタンなどの学習モードへの切り替え手段によれば、マイクロプロセッサに対して直接的に働きかけることができる。又、マイクロプロセッサのこの学習モードへの切り替え手段を送信機と関連付けることにより、送信機によって、マイクロプロセッサを学習モードに切り替えると共に、少なくとも１つのその他の送信機の識別番号を登録するようにすることも可能である。又、無線送信機の場合には、学習モードへの切り替えを起動するには、その送信機の識別番号がマイクロプロセッサによって認知されていなければならない。この学習モードへの切り替え手段を有する送信機の識別番号をメモリ内に登録する作業は、設置の前に、例えば工場において実行可能である。あるいは、前述のように、受信機側でマイクロプロセッサの学習モードへの切り替え機能を起動することにより、このメモリ内への登録（又は、ペアリング）作業を設置時点において実行することも可能である。そして、装置の設置が完了すれば、この機能にアクセス可能である必要は必ずしもない。
【０００６】
送信機上においてのみ学習モードへの切り替え手段にアクセス可能な場合には、その送信機を紛失したり、盗難に遭った場合に、問題が生じることになる。すなわち、送信機を装置に関連付けたり、装置から送信機を除外することができなくなると共に、盗難の場合には、装置が保護を受けられなくなってしまう。
【０００７】
特許文献３には、これらの問題を解決可能な簡単なソリューションについて記述されている。このソリューションは、例えば、短い時間間隔において電流を２回遮断するなどの電源部に対する特定の動作によって学習モードへの切り替えを命令する段階を有している。
【０００８】
しかしながら、このソリューションの場合には、送信機と受信機間におけるペアリングが容易であり、受信機のメモリに対するアクセスのセキュリティを欠いている。
【０００９】
具体的には、例えば、母屋から遠く離れ、そのドアが遠隔制御システムによって制御されるゲート又はガレージを考えると、ゲート又はガレージと母屋の間に、電源部に対して保護されていないアクセス手段が存在している。そして、これらのアクセス手段を使用して電源部を不正に操作することにより、遠隔制御システムの受信機を学習モードに切り替えて新しい送信機をペアリングすることができるのである。
【００１０】
保護されていないアクセスの他の例は、スイッチが受信機側、具体的には、ガレージのドアアクチュエータシステムに配置されているケースである。このスイッチを操作することにより、受信機の学習モードが起動する。ガレージのドアがたまたま開いたままの状態に放置されていると、スイッチに対するアクセスは制限されてはおらず、このスイッチを使用することができ、新しい送信機のペアリングを不正に実行することができる。
【００１１】
図１及び図２には、従来技術による装置の学習モードへの切り替えを実現する方法及び手段が示されている。
【００１２】
図１の場合には、まず装置を設置する際に、命令受信機を初期化する。この初期化フェーズにおいては、１つ又は複数の送信機のペアリング手順を有し、その過程で受信機が１つ又は複数の送信機の識別番号を受信し、それらをメモリ内に保存する。
【００１３】
そして、受信機を学習モードに切り替えるには、ユーザは、命令受信機がすでに認知している送信機において、例えば、その送信機に備わっている特定のボタンを押下するなどにより、学習モードに切り替えるための動作Ａ１を実行する。すると、送信機が、自身の識別番号ＩＤと、受信機の学習モードへの切り替えを実現するプログラムコードと、を含むプログラミングメッセージを生成し送信することになる。
【００１４】
受信機は、この命令送信機からのメッセージを受信すると、その受信した識別番号ＩＤがメモリ内に存在しているかどうかをチェックする。そして、その識別番号ＩＤが存在している場合には、この時点で、アクチュエータを制御するためのメッセージを送信機から受信する命令受信機の準備が整うことになる。そして、プログラミングコードを受信した場合には、受信機は、学習モードに切り替わる。この場合には、新しい送信機をペアリングしたり、既存のものを除去することができる。なお、この学習モードを抜けるのは、タイムアウト期間の終了又はユーザからの新しい命令のいずれかによって行われる。
【００１５】
図２には、受信機を学習モードに切り替えるのための従来技術に公知の別の手順が示されている。この手順の場合には、受信機に直接関連付けられている、学習モードへの切り替え手段に対するユーザの動作Ａ２により、又は電源部に対する特定の動作により、手順が開始されることになる。
【００１６】
特許文献４には、独立したユニットを使用した車両のドアの開閉管理システムを再プログラミングすることを提案するソリューションが開示されている。しかしながら、このソリューションの場合には、送信機の盗難との関連でシステムを保護することを目的としており、送信機と受信機間のペアリング手順において学習モードに切り替えるための固定された手段に対するアクセス問題を解決してはいない。
【００１７】
【特許文献１】欧州特許第０８６７８４８号（ＥＰ０８６７８４８）明細書
【特許文献２】仏国特許第２７２７５５３号（ＦＲ２７２７５５３）明細書
【特許文献３】欧州特許第０９２１５０７号（ＥＰ０９２１５０７）明細書
【特許文献４】特開２００１−０３２５８７号公報
【発明の開示】
【００１８】
本発明の目的は、前述の問題の解決と従来技術による方法の改善を実現する方法を提供することにある。具体的には、本発明は、建物のセキュリティ及び／又は居住性を提供する装置のフレームワーク内において、命令受信機の学習機能に対するアクセスの保護を可能にする方法を実現することを提案する。また、本発明は、この方法を実施可能な装置の実現をも提案している。
【００１９】
本発明による方法は、請求項１の特徴部分に記載された特徴を有している。
【００２０】
この方法の様々な態様は、従属請求項２〜７に定義されている。
【００２１】
独立請求項８は、この方法を実施可能な装置を規定している。
【００２２】
従属請求項９及び１０は、本発明による装置の実施形態を規定している。
【００２３】
従って、この装置の命令受信機と通信可能な送信機は、
・単純な制御送信機（上昇／下降、開閉）、
・プログラミング送信機（制御と、受信機の学習モードを起動する機能）、
・保護命令送信機（任意選択可能な制御と、学習モードの起動及び無効化の機能）
という３つのタイプに区分することができる。
【００２４】
従って、保護命令送信機の２つの主要機能は、受信機の学習モードへの切り替えと、学習モード起動機能の無効化である。そして、学習モードへの切り替え手段と起動機能の無効化手段を具備する１つ又は複数の送信機における異なる動作、又は１つの共通の動作によって、これらの主要機能が起動される。
【００２５】
好ましくは、保護命令送信機は、命令受信機との遠隔通信用の無線手段を有している。
【００２６】
保護命令送信機は、好ましくは、金庫などの安全な場所に容易に保管できるように、紙のシートの標準寸法に実質的に等しい２つの寸法を具備している。又、これらの保護命令送信機には、それらが関連付けられている装置をユーザに対して通知するために、ラベルなどの視覚的な手段を提供することも可能である。
【００２７】
本装置は、その機能が装置の学習モードへの切り替えと保護コードの送信である送信機と、受信機を有しており、この結果、保護コードを受信すると、（１つ又は複数の）その他の学習モードへの切り替え手段が無効になる。
【００２８】
本装置は、予防的な方式で使用することができる。すなわち、送信機と受信機間における所望のペアリングが完了したら、保護送信機から保護コードを受信機に送信することにより、学習モードに切り替える機能を制限することができる。
【００２９】
保護送信機は、アクチュエータを制御する機能を必ずしも含んではいない。この結果、保護送信機は、単純な送信機によって構成されている。すなわち、安価であって、安全な場所に容易に収容可能である。ただし、高機能な送信機と関連付けられた保護送信機を提供することも可能であり、これは、恐らく、住宅内に固定されることになろう。
【００３０】
保護送信機は、ワンオフ無効化、すなわち（１つ又は複数の）学習モードへの切り替え手段の不可逆的な取消しを実現する。又、様々な学習モードへの切り替え手段を再起動するための機能を保護送信機に提供することも可能である。いずれの場合にも、保護送信機は、受信機学習モード起動機能に再度使用することができる。
【００３１】
例えば、保護送信機上における特別な操作により、記憶済みの識別番号を消去する機能を提供することも可能である。
【００３２】
添付の図面には、一例として、本発明による方法のいくつかの実行モードが示されている。
【発明を実施するための最良の形態】
【００３３】
図６に示す装置により、本発明による方法を実施することができる。この装置は、命令受信機１０と、命令送信機２０の組と、を有している。なお、この図６には、わかりやすくするために、１つの送信機のみを示している。
【００３４】
命令受信機１０は受信機モジュール１２を有し、この受信機モジュール１２は、接続装置１１にリンクされるとともに、ドア、ロールシャッタ、又はアラーム設備などの設備１４を駆動するマイクロコントローラタイプの処理ユニット１３にリンクされている。命令受信機は、プッシュボタンタイプの制御インターフェイス１５を有することも可能である。命令受信機は、電源部１７に接続される。
【００３５】
処理ユニット１３はメモリ領域１６を有し、このメモリ領域１６は、受信機１０を動作させるためのプログラムと、受信機１０が受信する命令を送信する命令送信機２０の識別番号とを格納するためのものである。
【００３６】
それぞれの命令送信機２０は、接続装置２１にリンクされると共に、マイクロコントローラタイプの処理ユニット２３にリンクされた送信機モジュール２２を有し、さらにキーパッドタイプの制御インターフェイス２４を有している。そして、それぞれの命令送信機２０は、処理ユニット２３のメモリ領域２６内に自身の識別番号を格納している。
【００３７】
これらの命令送信機は、高周波タイプ又は赤外線タイプの電磁波により、又はその他の有線リンクにより、命令を送信することができる。
【００３８】
なお、この命令送信機と命令受信機間における通信は、双方向であってよい。その場合には、送信機と受信機には「送信機／受信機」モジュールが提供される。
【００３９】
ユーザの１つ又は一連の動作により、これらの命令送信機、又はこれらの少なくともいくつかは、受信機を学習モードに切り替えることが可能であり、この学習モードにおいては、その受信機とペアリングされている送信機のリストを、追加又は除去して変更することができる。
【００４０】
命令送信機の中の特定の送信機、いわゆる保護命令送信機は、特定の受信機の学習モードへの切り替え機能を無効にすることができる。
【００４１】
図３は、保護命令送信機を最初に使用する際の本装置の動作方法の第１実行モードを示す。
【００４２】
第１動作は、タイプＡ１（命令送信機によるもの）又はタイプＡ２（受信機のレベルにおける直接的なもの、又は電源部におけるもの）の命令により、受信機を学習モードに切り替える段階を有している。次いで、ユーザは、保護プログラム実行命令Ａ３を起動可能であり、この命令により、その送信機を受信機とペアリングするように、その保護送信機ＢＰＳの識別番号ＩＤを格納するメッセージを送信する。これは、場合によっては、プログラミングコードと保護プログラミングコードを含んでいる。
【００４３】
受信機は、この送信機の識別番号ＩＤを認識する。
【００４４】
そして、保護プログラミングコードを受信すると、関連するセキュリティプログラムが実行され、この結果、タイプＡ１及び／又はタイプＡ２の学習モードへの切り替え手段が無効になる。
【００４５】
この学習モードへの切り替え手段の無効化は、受信機と様々な送信機による学習モードへの切り替え手段の有効化又は無効化に関連付けられているバイナリメモリの状態を変更する段階によって構成可能である。
【００４６】
次いで、受信機は、手順終了信号を起動し、ユーザに対して、学習モードへの切り替え手段が無効になったことを通知することができる。なお、通信が双方向である場合には、受信機から送信されたメッセージを受信した後に、この信号を保護命令送信機から送信することも可能である。
【００４７】
このような実行モードにおいては、学習モードへの切り替えと無効化の機能は、保護命令送信機上における１つの同一の動作に共通していてもよく、あるいは、別のものであってもよい。
【００４８】
前者の場合には、プログラミングコードを受信しても、その受信機がすでに学習モードにある場合には、特段の効果はないが、タイムアウト期間が満了して学習モードが終了した後に、この命令受信機によるプログラミングコードの受信に基づいて再初期化されることになろう。
【００４９】
後者の場合には、保護命令送信機からプログラミングコードは送信されない。
【００５０】
図４ａ及び図４ｂは、保護命令送信機の識別と無効化命令の機能が切り離されている場合における保護命令送信機を最初に使用する際の本装置の動作方法の第２実行モードを示している。この場合には、ユーザは、保護命令送信機において、２つの特定の動作を実行しなければならない。なお、これらの２つの動作は、時間の経過に伴って交互交替的なものであってよい。
【００５１】
図４ａは、保護命令送信機をペアリングする方法を示している。受信機がすでに学習モードに切り替えられている際に、第１動作Ａ４を実行することにより、保護命令送信機と命令受信機をペアリングすることができる。この結果、保護命令送信機の識別番号ＩＤのみが送信され、命令受信機は、これを受信して保存する。
【００５２】
図４ｂは、この保護命令送信機が受信機によって認知された後の保護命令送信機の動作を示している。第２の動作Ａ５により、保護命令送信機の識別番号ＩＤを格納するメッセージ（これには、恐らく、プログラミングコードと保護プログラミングコードが含まれている）が送信される。以前の動作の際に、送信機の識別番号が受信機内にすでに記録されているため、この識別番号は受信機によって認識され、保護プログラミングコードがメモリ内に保存されると共に、このコードに関連付けられているセキュリティプログラムが実行される。そして、この結果、タイプＡ１及び／又はタイプＡ２の学習モードへの切り替え手段が無効になる。
【００５３】
学習モードへの切り替えと無効化の機能が、保護命令送信機上における１つのタイプの動作に共通している場合には、プログラミングコードを受信した際に、受信機の学習モードへの切り替えと学習モード起動機能の無効化が実質的に同時に実現することになる。
【００５４】
一般に、無効化機能は、保護命令送信機の学習モード起動機能を除いて、学習モード起動機能を無効にする段階を伴っている。
【００５５】
学習モードへの切り替えと無効化の２つの機能を２つの別個のタイプの動作によって起動することを要する場合には、１つの動作によって、図１に示されている方式による命令受信機の学習モードへの切り替えが行われ、１つの動作によって、保護命令送信機の識別番号ＩＤと保護プログラミングコードのみの送信が行われる。この結果、無効化機能のみが起動されることになる。
【００５６】
以前の実行モードと同様に、この場合にも、受信機は、手順終了信号を起動し、ユーザに対して、学習モードへの切り替え手段が無効になったことを通知することができる。又、通信が双方向である場合には、受信機から送信されたメッセージを受信した後に、この信号を保護命令送信機から送信することも可能である。
【００５７】
その識別番号ＩＤがすでに受信機によって認識されているにもかかわらず、保護命令送信機を起動する場合がいくつか存在している。すなわち、
・最初の使用の場合に、図４ｂのケースにおいてプログラミングコード又は保護プログラミングコードを同時に送信することなしに、保護命令送信機が命令受信機とすでにペアリングされている場合、
・又は、装置を学習モードに切り替えるための保護命令送信機の後続の使用の場合、
・又は、オリジナルの学習モードへの切り替え手段を再起動する手段が提供されている場合である。
【００５８】
図５は、後続の使用の際に、命令送信機が受信機にすでに認識されている場合に実現される方法を示している。保護送信機上における動作Ａ３により、ユーザは、保護命令送信機の識別番号ＩＤを格納するメッセージ、場合によっては、プログラミングコードと保護プログラミングコードを含むものを送信する。受信機は、このメッセージを受信し、保護命令送信機の識別番号ＩＤを認識して、保護プログラミングコードを保存する。
【００５９】
例えば、バイナリメモリの状態をテストすることにより、学習モードへの切り替え手段が有効になっているかどうかを確認するためのテストを提供することができる。そして、学習モードへの切り替え手段が有効になっている場合には（テスト結果が肯定的である：＋印）、受信機は、この設定内容を記録する前に、それらを無効にする。次いで、学習モードに切り替えることができる。一方、学習モードへの切り替え手段がすでに無効になっている場合には（テスト結果が否定的である：−印）、受信機は、学習モードに切り替えることにより、ペアリング手順を起動可能にすることができる。
【００６０】
このテストは、任意に選択でき、具体的には、保護命令送信機上における単一動作によって、受信機の学習モードへの切り替えと、この学習モードのその他の起動機能の無効化の両方が行われる場合に、すでに無効になっている学習モードへの切り替え手段に対して無効化命令を再送することを単に回避するものである。
【００６１】
当然のことながら、本発明のすべての実行モードにおいて、例えば、チャレンジ（Ｃｈａｌｌｅｎｇｅ）プロセスなどのその他の識別プロセスによって識別番号の送信を置き換えることも可能である。
【００６２】
同様に、保護命令送信機及びその関連する無効化機能を特徴付けている保護命令送信機の識別番号の一般的な部分によって保護プログラミングコードを置き換えることも可能である。
【図面の簡単な説明】
【００６３】
【図１】従来技術による学習モードへの切り替え方法のフローチャートである。
【図２】従来技術による別の学習モードへの切り替え方法のフローチャートである。
【図３】保護命令送信機の最初の使用の際に学習モードを保護する方法の第１実行モードのフローチャートである。
【図４ａ】保護命令送信機の最初の使用の際に学習モードを保護する方法の第２実行モードのフローチャートの１つの部分である。
【図４ｂ】保護命令送信機の最初の使用の際に学習モードを保護する方法の第２実行モードのフローチャートの１つの部分である。
【図５】保護命令送信機の後続の使用の際に学習モードを保護する方法の第１実行モードのフローチャートである。
【図６】命令送信機と命令受信機を示す図である。
【図１】
0004550583.tif 000002
【図２】
0004550583.tif 000003
【図３】
0004550583.tif 000004
【図４ａ】
0004550583.tif 000005
【図４ｂ】
0004550583.tif 000006
【図５】
0004550583.tif 000007
【図６】
0004550583.tif 000008